(57)【要約】【課題】空気取入口から吸込口が視認できなくすることで美観が向上し、且つ充分な吸込量も確保できる空気調和機を提供する。【解決手段】筺体１０と、筺体１０の前面に取り付けられる前面パネル２と、前面パネル２の前面を覆う化粧パネル３とを備え、前面パネル２は前面側に凹部２０を形成して、凹部２０の底面部２２に吸込口２３を設け、化粧パネル３は左右幅が凹部２０の底面部２２を覆うように形成され、左右両端に凹部２０の底面部２２に向けて延出するフランジ３１を備え、化粧パネル３と凹部２０との間に空気取入口２３ａを形成し、前面パネル２は、化粧パネル３のフランジ３１よりも内側で吸込口２３の周縁に化粧パネル３側に突出させた突出部２５を設ける。【選択図】図６
2014040974.tif 000002
【特許請求の範囲】
【請求項１】
筺体と、同筺体の前面に取り付けられる前面パネルと、同前面パネルの前面を覆う化粧パネルとを備えた空気調和機において、
前記前面パネルは前面側に凹部を形成し、同凹部は同凹部の底面部に向かい側面が傾斜した凹部傾斜面を備え、且つ底面部に吸込口が開口され、
前記化粧パネルは、左右幅が前記前面パネルの前記凹部の前記底面部を覆うように形成され、左右両端に前記前面パネルの前記凹部の前記底面部に向けて延出するフランジを備え、前記化粧パネルと前記凹部との間に空気取入口を形成し、
前記前面パネルは、前記化粧パネルの前記フランジよりも内側で前記吸込口の周縁に前記化粧パネル側に突出させた突出部を設けたことを特徴とする空気調和機。
【請求項２】
前記化粧パネルの前記フランジにおける前記前面パネル側のフランジ端面と前記前面パネルの前記凹部の前記底面部の間を距離Ｔ１とし、前記化粧パネルの裏面と前記前面パネルの前記突出部の先端に設けた突出面の間を距離Ｔ２とし、Ｔ１≒Ｔ２となるように構成することを特徴とする請求項１に記載の空気調和機。
【請求項３】
前記化粧パネルの前記フランジ端面と、前記前面パネルの前記突出面と突出部傾斜面の交点を結ぶ仮想線と、前記化粧パネルの前面に平行で仮想線と同一平面上に設けた基準線との角度を略４５°以下とすることを特徴とする請求項１または２に記載の空気調和機。
【請求項４】
前記前面パネルの前記突出部は前記凹部側に突出部傾斜面を備え、前記凹部傾斜面と、前記底面部と、前記突出面とで連続したなだらかな曲面を形成して空気流路となることを特徴とする請求項ないし３に記載の空気調和機。
【発明の詳細な説明】
【技術分野】
【０００１】
本発明は、空気調和機の前面パネルと化粧パネルの形状に関するものである。
【背景技術】
【０００２】
空気調和機の中で床置形空気調和機や空気清浄機は、筺体の前面に設けられた前面パネルの前面側に凹部を備え、凹部の底部が開口して吸込口となり、吸込口の前面を前面パネルまたは化粧パネルで覆うとともに、前面パネルまたは化粧パネルと凹部との間に形成される空気取入口から空気を取り入れ、吸込口に流入させる意匠が、前面からは吸込口が見えないため好まれている。（例えば、特許文１参照）
【先行技術文献】
【特許文献】
【０００３】
【特許文献１】特２００２−２８４２６号公報
【発明の概要】
【発明が解決しようとする課題】
【０００４】
上記の空気調和機は、前面から視認すると吸込口は前面パネルの一部または化粧パネルにより隠されて良好な意匠となるが、斜め側方から視認すると、空気取入口から吸込口が見え、且つ吸込口に取り付けられたフィルターまで見えることになる。
そこで、フィルターが見えないように空気取入口を狭くした場合は空気の充分な吸込量が得られない。
【０００５】
本発明の課題は上記問題点に鑑み、筺体の前面に設けられた前面パネルの前面側に凹部を備え、凹部の底面部の一部が開口して吸込口となり、底面部および吸込口を化粧パネルで覆うとともに、化粧パネルと凹部との間に形成される空気取入口から空気を取り入れる空気調和機において、空気取入口から吸込口が視認できなくすることで美観が向上し、且つ充分な吸込量も確保できる空気調和機を提供するものである。
【課題を解決するための手段】
【０００６】
上記目的を達成する為に本発明は、筺体と、同筺体の前面に取り付けられる前面パネルと、同前面パネルの前面を覆う化粧パネルとを備えた空気調和機において、
前記前面パネルは前面側に凹部を形成し、同凹部は同凹部の底面部に向かい側面が傾斜した凹部傾斜面を備え、且つ底面部に吸込口が開口され、
前記化粧パネルは、左右幅が前記前面パネルの前記凹部の前記底面部を覆うように形成され、左右両端に前記前面パネルの前記凹部の前記底面部に向けて延出するフランジを備え、前記化粧パネルと前記凹部との間に空気取入口を形成し、
前記前面パネルは、前記化粧パネルの前記フランジよりも内側で前記吸込口の周縁に前記化粧パネル側に突出させた突出部を設けたことを特徴とする。
【発明の効果】
【０００７】
本発明は、筺体と、筺体の前面に取り付けられる前面パネルと、前面パネルの前面を覆う化粧パネルとを備え、前面パネルは前面側に凹部を形成して、凹部の底面部に吸込口を設け、化粧パネルは左右幅が凹部の底面部を覆うように形成され、左右両端に凹部の底面部に向けて延出するフランジを備え、化粧パネルと凹部との間に空気取入口を形成し、前面パネルは、化粧パネルのフランジよりも内側で吸込口の周縁に化粧パネル側に突出させた突出部を設けたことで、空気取入口を如何なる角度から覗いても化粧パネルのフランジが前面パネルの突出部の前方に被り、フランジと突出部だけが見えて吸込口は視認できなくすることで美観が向上し、且つ充分な吸込量も確保できる空気調和機となる。
【図面の簡単な説明】
【０００８】
【図１】本発明による空気調和機の外観図である。
【図２】本発明による空気調和機の運転状態を示す外観図である。
【図３】本発明による空気調和機の前面パネル分解図である。
【図４】本発明による空気調和機の正面図である。
【図５】図４に示すＡ−Ａ断面図である。
【図６】図５に示すＹ部拡大図である。
【発明を実施するための形態】
【０００９】
以下、本発明の実施の形態を、添付図面に基づいた実施例として詳細に説明する。なお、実施例１では空気清浄機で説明するが、本発明はこれに限らず、前面パネルに吸込口を有し吸込口を化粧パネルで覆う空気調和機全般に応用される。
【実施例１】
【００１０】
空気清浄機１は、図１から図５に示すように、箱型の筺体１０と、筺体１０の前面に取り付けられる前面パネル２と、前面パネル２の前面を覆う化粧パネル３とを備え、筺体１０の天面の前面寄りには操作部１１と、背面寄りには吹出口１２と、運転停止時には吹出口１２を塞ぎ運転時には風向を調整する風向フラップ１３とを備える。
筺体１０の内部には、送風ファン１４と送風ファン１４の手前に脱臭フィルター１５を備え、脱臭フィルター１５の手前に脱臭フィルター１５をガードする脱臭フィルター用ガード１６を備える。
【００１１】
＜前面パネル＞
前面パネル２は、図３から図５に示すように、筺体１０の前面を全て覆うように取り付けられ、側面視で前方が狭くなる台形状であり、台形状の天面にあたる前面側に凹部２０が形成されている。図では前面パネル２の上下左右端の縁部２１から凹部２０が形成されているが、これに限らず前面の一部分に凹部２０を形成してもよい。
凹部２０は、図５に示すように、縁部２１から凹部２０の底面部２２に向かい側面が傾斜した凹部傾斜面２０ａを備える。凹部傾斜面２０ａは平面状でも曲面状でもよいが、上下左右端の縁部２１から等しい角度または形状で形成されている。
凹部傾斜面２０ａに繋がる凹部２０の底面部２２には、送風ファン１４が空気を取り入れるための吸込口２３が矩形状に開口されている。
【００１２】
吸込口２３の周囲は、図３、図５、図６に示すように、周縁壁２４で囲まれている。周縁壁２４の内側にはプレフィルター４０と、集塵フィルター４１が着脱自在に取り付けられる。
周縁壁２４の前面側で吸込口２３の入口には、前方に突出した突出部２５が形成されている。突出部２５は、突出部２５の先端に設けた突出面２５ａと、底面部２２側に傾斜した突出部傾斜面２５ｂを備える。左右方向における突出部２５は突出面２５ａが狭く山形状であり、下方向における突出部２５は突出面２５ａが広く化粧パネル３を係止する係止用孔２６ａ、２６ｂを備え、上方向における突出部２５は突出面２５ａが広く突出部傾斜面２５ｂに化粧パネル３を係止する係止用孔２６ｃ、２６ｄを備える。
凹部２０は、凹部傾斜面２０ａと、底面部２２、突出部傾斜面２５ｂ、突出面２５ａとで連続したなだらかな曲面を形成して空気Ｓを導く空気流路Ｐとなる。
【００１３】
＜化粧パネル＞
化粧パネル３は、図３から図５に示すように、前面パネル２よりも小さく、上方と下方にそれぞれ背面側に向かう曲面部３ａ、３ｂを備えたフラットな板状であり、左右幅は、前面パネル３の底面部２２を覆うように形成され、左右両端に底面部２２向けて延出するフランジ３１を備える。
また、化粧パネル３は、裏面３ｃの下方に係止爪３２ａ、３２ｂを、上方に係止爪３２ｃ、３２ｄを備える。
【００１４】
＜組立＞
化粧パネル３とプレフィルター４０及び集塵フィルター４１を前面パネル２に取り付け組み立てる作業について説明する。まず吸込口２３の周縁壁２４内側に集塵フィルター４１を合わせ集塵フィルター４１の上からプレフィルター４０の上下にある係止爪４０ａを吸込口２３の周縁壁２４内側に設けた係止用孔２４ａに係止することでプレフィルター４０が取り付けられるとともに集塵フィルター４１を挟み込み固定する。
次に、化粧パネル３は、係止爪３２ａ、３２ｂを、前面パネル２の突出面２５ａに設けた係止用孔２６ａ、２６ｂに差し込み、係止爪３２ｃ、３２ｄを、前面パネル２の突出部傾斜面２５ｂに設けた係止用孔２６ｃ、２６ｄに前面から押し込むように嵌めることで、取り付けられる。
プレフィルター４０及び集塵フィルター４１を外す作業は逆の手順を行うことで、化粧パネル３とプレフィルター４０及び集塵フィルター４１は着脱自在となる。
【００１５】
組み立てられた空気清浄機１は、図２に示すように、前面パネル２と化粧パネル３との間に側面側空気取入口２３ａ、２３ｂ、上面側空気取入口２３ｃ、底面側空気取入口２３ｄを構成して４方から送風ファン１４により空気Ｓを取り込み、吸込口２３を通過しプレフィルター４０及び集塵フィルター４１と脱臭フィルター１５等で空気清浄処理をして吹出口１２から室内に吹き出す。
【００１６】
＜前面パネルと化粧パネル＞
前面パネル２と化粧パネル３の配置について説明する。前面パネル２の突出部２５は、化粧パネル３のフランジ３１よりも内側に配置される。図６に示すように、化粧パネル３のフランジ３１の前面パネル２側のフランジ端面３１ａは前面パネル２の縁部２１に対して同じ位置または図６における下方になるように配置される。
フランジ端面３１ａと底面部２２の間を距離Ｔ１とし、化粧パネル３の裏面３ｃと前面パネルの突出面２５ａの間を距離Ｔ２とし、Ｔ１≒Ｔ２となるように構成する。Ｔ１≒Ｔ２とすることで、Ｔ１とＴ２のどちらか一方に比べて狭くなり空気Ｓの流れが速くなることで騒音が発生する虞や、吸込量が減少する虞を回避できる。
【００１７】
次に、化粧パネル３のフランジ３１のフランジ端面３１ａと、前面パネルの突出面２５ａと突出部傾斜面２５ｂの交点２５ｃを結ぶ仮想線５０を設定する。仮想線５０は化粧パネル３の前面に平行で仮想線５０と同一平面上に設けた基準５１と角度Ｘをなすように設定する。角度Ｘは略４５°以下が望ましい。４５°以下であると側面側空気取入口２３ａ（２３ｂ）を如何なる角度から覗いても化粧パネル３のフランジ３１が前面パネル２の突出部２５の前方に被り、フランジ３１と突出部２５だけが見えて吸込口２３は視認されない。一方、角度Ｘを６０度にした場合は、側面側空気取入口２３ａ（２３ｂ）を覗くと、化粧パネル３のフランジ３１が前面パネルの突出部２５の前方に被らなくなり、吸込口２３が視認されるようになる。
【００１８】
上記構成により、側面側空気取入口２３ａ（２３ｂ）から取り入れられた空気Ｓは、前面パネル２の凹部傾斜面２０ａと、底面部２２と、突出部傾斜面２５ｂと、突出面２５ａとで連続したなだらかな曲面を形成した空気流路Ｐにそって吸込口２３に流れ込む。
化粧パネル３側は、化粧パネル３のフランジ３１のフランジ端面３１ａと前面パネルの底面部２２の距離Ｔ１と、化粧パネル３の裏面３ｃと前面パネルの突出面２５ａの距離Ｔ２を、Ｔ１≒Ｔ２となるように構成することで、部分的に狭くなることがなく、且つ充分な空気流路幅を確保でき、吸い込まれた空気Ｓは、スムーズに吸込口２３に流れ込む。よって、吸込口２３の周囲に突出部２５を設けても、空気Ｓが化粧パネル３の裏面３ｃを伝う構成としたことで充分な空気Ｓの吸込量が確保できる。
そして、化粧パネル３のフランジ３１のフランジ端面３１ａと、前面パネルの突出面２５ａと突出部傾斜面２５ｂの交点２５ｃとを結ぶ仮想線５０と、化粧パネル３の前面に平行で仮想線５０と同一平面上に設けた基準５１とが略４５°以下の角度であることで、図１に示すように、側面側空気取入口２３ａ（２３ｂ）から吸込口２３を覗いても、化粧パネル３のフランジ３１と前面パネル３の突出部２５とが見えるだけで吸込口２３および吸込口２３に取り付けたプレフィルター４０が視認されることはなく、美観が向上する。
【００１９】
また、上面側空気取入口２３ｃと、底面側空気取入口２３ｄとはそれぞれ前面パネル２の突出面２５ａと化粧パネル３の上方と下方の曲面部３ａ、３ｂとの間の隙間を空気Ｓが通過することで取り入れられるとともに、化粧パネル３の上方と下方の曲面部３ａ、３ｂと前面パネル２の突出面２５ａが奥行きがあるためプレフィルター４０が視認されることはない。
【符号の説明】
【００２０】
１    ：空気清浄機
１０  ：筺体
１２  ：吹出口
２    ：前面パネル
２０  ：凹部
２０ａ：凹部傾斜面
２１  ：縁部
２２  ：底面部
２３  ：吸込口
２３ａ、２３ｂ：側面側空気取入口
２４  ：周縁壁
２５  ：突出部
２５ａ：突出面
２５ｂ：突出部傾斜面
３    ：化粧パネル
３ａ、３ｂ：曲面部
３ｃ  ：裏面
３１  ：フランジ
３１ａ：フランジ端面
４０  ：プレフィルター
４１  ：集塵フィルター
Ｐ    ：空気流路
Ｓ    ：空気
Ｔ１、Ｔ２：距離
Ｘ    ：角度
【図１】
2014040974.tif 000003
【図２】
2014040974.tif 000004
【図３】
2014040974.tif 000005
【図４】
2014040974.tif 000006
【図５】
2014040974.tif 000007
【図６】
2014040974.tif 000008